(57)【特許請求の範囲】
【請求項１】
引戸装置用扉体で開閉される開口部と、この開口部の側部に設けられ、開き移動で前記開口部を開いた前記扉体を収納するための戸袋と、前記開口部に対して前記戸袋とは反対側の側部に設けられた袖部と、を備えており、この袖部に、前記戸袋の内側方向と同じ方向への深さを有する収納部が配設されている引戸装置用収納構造であって、
前記引戸装置は、個別部屋と、この個別部屋の外側の空間とを仕切る位置に設置されており、
前記袖部は、前記空間側の表面形成部材と、この表面形成部材から前記戸袋の内側方向と同じ方向に離れて配置され、前記個別部屋側の表面を形成している外面形成部材とを含んで構成されており、前記表面形成部材と前記外面形成部材との間は、前記袖部の内部の空間部となっており、
前記表面形成部材側が正面となっている前記収納部は、前記袖部の内部の前記空間部における前記戸袋の内側方向と同じ方向への途中位置まで達する奥行き長さを有するとともに、この収納部の正面は開口しており、この正面開口部は透明の蓋部材により開閉自在であり、前記収納部の奥面部は塞がれていることを特徴とする引戸装置用収納構造。
【請求項２】
請求項１に記載の引戸装置用収納構造において、前記収納部の内部には、前記個別部屋の利用者にとって慣れ親しんだ物品が収納されることを特徴とする引戸装置用収納構造。
【請求項３】
請求項１又は２に記載の引戸装置用収納構造において、前記収納部の内部には棚板が設けられていることを特徴とする引戸装置用収納構造。
【請求項４】
請求項１〜３のいずれかに記載の引戸装置用収納構造において、前記引戸装置により前記個別部屋と仕切られている前記空間は廊下であることを特徴とする引戸装置用収納構造。
【請求項５】
請求項１〜４のいずれかに記載の引戸装置用収納構造において、前記表面形成部材には、前記収納部の下側において手摺りが取り付けられていることを特徴とする引戸装置用収納構造。
【請求項６】
請求項１〜５のいずれかに記載の引戸装置用収納構造において、前記表面形成部材は袖パネルであり、この袖パネルは、この袖パネルが取り付けられる取付部材に、前記袖パネルと前記取付部材とのうちの一方に設けられた係止部材を他方に設けられた被係止部材に係止することにより取り付けられていることを特徴とする引戸装置用収納構造。
【請求項７】
請求項６に記載の引戸装置用収納構造において、前記袖パネルが前記取付部材に取り付けられる前に、前記袖パネルに前記収納部が配設されていることを特徴とする引戸装置用収納構造。
【請求項８】
請求項６又は７に記載の引戸装置用収納構造において、前記収納部は、前記袖パネルに組み付けられた収納ボックスにより形成されていることを特徴とする引戸装置用収納構造。
【請求項９】
請求項８に記載の引戸装置用収納構造において、前記収納ボックスは、下面部と２つの側面部とを有していることを特徴とする引戸装置用収納構造。
【請求項１０】
請求項８又は９に記載の引戸装置用収納構造において、前記袖パネルには、前記戸袋の内側方向と同じ方向へ延出した収納ボックス保持部が設けられており、この収納ボックス保持部に前記収納ボックスが保持されることにより、前記袖パネルに前記収納ボックスが組み付けられていることを特徴とする引戸装置用収納構造。
【請求項１１】
請求項８〜１０のいずれかに記載の引戸装置用収納構造において、前記収納ボックスは、前記袖パネルから前記戸袋の内側方向と同じ方向へ延びる後方部と、前記袖パネルから前記戸袋の外側方向と同じ方向へ突出した前方部と、を備えていることを特徴とする引戸装置用収納構造。
【請求項１２】
請求項１１に記載の引戸装置用収納構造において、前記袖パネルには、前記後方部を挿入するための挿入用開口部が形成されており、前記前方部における前記袖パネルと平行をなす面での断面積は前記挿入用開口部の開口面積よりも大きくなっており、前記後方部を前記挿入用開口部に挿入することにより、この挿入用開口部は前記前方部によって覆われていることを特徴とする引戸装置用収納構造。
【請求項１３】
請求項６〜１２のいずれかに記載の引戸装置用収納構造において、前記袖パネルは、前記引戸装置用扉体で開閉される前記開口部の戸先側の縦枠部材に取り付けられ、この縦枠部材は前記袖部の内部に配置された下地材により支持され、前記戸袋の内側方向と同じ方向への深さを有して前記袖パネルに配設されている前記収納部における前記戸袋の内側方向と同じ方向への深さを有している部分は、前記下地材の配置位置からずれている位置に配設されていることを特徴とする引戸装置用収納構造。
【発明の詳細な説明】
【技術分野】
【０００１】
本発明は、引戸装置のための収納構造に係り、各種の施設に設置される引戸装置に、例えば、その施設に応じた物品を収納するための収納部を設けるために利用できるものである。
【背景技術】
【０００２】
下記の特許文献１には、引戸装置用扉体で開閉される開口部と、この開口部の側部に設けられ、開き移動で開口部を開いた扉体を収納するための戸袋と、を備えている引戸装置が示されており、この特許文献１の引戸装置は病院に設置されているものであるため、戸袋の外面にナースコールが配設されている。
【０００３】
引戸装置は各種の施設に設置され、このため、引戸装置のなかには、その施設に応じた各種の物品を収納するための収納部を設けることが求められるものがある。例えば、老人介護施設に設置され、廊下と個別部屋とを仕切る位置に設置される引戸装置には、その個別部屋の利用者に、その個別部屋が自室であることを認識させることができるように、自分の慣れ親しんだ物品を収納するための収納部を設けることが求められ、また、病院に設置され、廊下と病室とを仕切る位置に設置される引戸装置には、病室に出入する者が手等を消毒することができるように、消毒液容器を収納するための収納部を設けることが求められる。
【先行技術文献】
【特許文献】
【０００４】
【特許文献１】特開２００３−２０８７７号公報（００７２段落、図１）
【発明の概要】
【発明が解決しようとする課題】
【０００５】
引戸装置にこのような収納部を設ける場合に、この収納部を、特許文献１のナースコールのように、上述の戸袋の外面に配設することもできるが、引戸装置に設けることが求められる収納部は、その収納部の目的に応じた大きさに設定され、大きい収納容量を有する収納部を上述の戸袋の外面に設けると、戸袋の外面からの突出量が大きくなるため、好ましくない。また、戸袋の外面に設ける収納部を、戸袋の外面からの突出量を小さくして収納容量を大きくするために、この収納部を戸袋の内側方向への深さを有するものとした場合には、戸袋の内部には、開き移動により上述の開口部を開いたときの扉体が収納されるため、戸袋の内部への扉体の収納に支障が生じるなどの不具合が生じ、好ましくない。
【０００６】
本発明の目的は、大きな収納容量を有する収納部を引戸装置に扉体等との関係で合理的に配設することができるようになる引戸装置用収納構造を提供するところにある。
【課題を解決するための手段】
【０００７】
本発明に係る引戸装置用収納構造は、引戸装置用扉体で開閉される開口部と、この開口部の側部に設けられ、開き移動で前記開口部を開いた前記扉体を収納するための戸袋と、前記開口部に対して前記戸袋とは反対側の側部に設けられた袖部と、を備えており、この袖部に、前記戸袋の内側方向と同じ方向への深さを有する収納部が配設されていることを特徴とするものである。
【０００８】
この引戸装置用収納構造では、戸袋の内側方向と同じ方向への深さを有している収納部は、戸袋の外面に配設されておらず、この収納部は、引戸装置用扉体で開閉される開口部に対して戸袋とは反対側の側部に設けられた袖部に配設されているため、収納部を、戸袋の内部に収納される扉体に影響されることなく、引戸装置に設けることができて、扉体を戸袋の内部に所定どおり収納することができる。また、収納部は、袖部に、戸袋の内側方向と同じ方向への深さを有して配設されているため、収納部の収納容量を大きくすることができ、このため、全体として引戸装置に収納部を扉体等との関係で合理的に設けることができる。
【０００９】
以上の本発明において、袖部に収納部を配設することは、任意な形態により実施することができる。その一例は、袖部を、この袖部の表面形成部材となっている袖パネルを含んで形成し、この袖パネルに収納部が配設することである。また、他の例は、袖部を、一般の壁と同様に、下地材と、この下地材で支持された外面形成部材とを含んで形成し、収納部を、下地材で保持され、外面形成部材に開口部が形成されたものとすることである。
【００１０】
上述のように袖部を、この袖部の表面形成部材となっている袖パネルを含んで形成し、この袖パネルに収納部が配設すると、袖部に収納部を簡単な構造で設けることができる。
【００１１】
また、袖部に収納部を配設するために、上述したように袖部を、この袖部の表面形成部材となっている袖パネルを含んで形成することとし、この袖パネルに収納部を配設するようにした場合においては、袖部の表面形成部材となっている袖パネルを前述した袖部に配置することも、任意な形態により実施することができる。その一例は、袖パネルを、この袖パネルが取り付けられる取付部材に、袖パネルと取付部材とのうちの一方に設けられた係止部材を他方に設けられた被係止部材に係止することにより取り付けることである。また、他の例は、袖パネルを、この袖パネルが取り付けられる取付部材に、釘やビス等の止着具により止着することである。
【００１２】
袖部の表面形成部材となっている袖パネルを袖部に配置するために、袖パネルを、この袖パネルが取り付けられる取付部材に、袖パネルと取付部材とのうちの一方に設けられた係止部材を他方に設けられた被係止部材に係止することによって取り付けるようにすると、この係止作業は簡単に行えるため、袖パネルの袖部への配置作業を容易に行えることになる。
【００１３】
なお、袖部の表面形成部材となっている袖パネルを袖部に配置するために、袖パネルを、この袖パネルが取り付けられる取付部材に、袖パネルと取付部材とのうちの一方に設けられた係止部材を他方に設けられた被係止部材に係止することによって取り付けるようにした場合において、係止部材を被係止部材に係止する箇所以外の箇所については、袖パネルを上記取付部材又はこの取付部材と別の取付部材に釘やビス等の止着具により止着してもよく、止着しなくてもよい。
【００１４】
係止部材を被係止部材に係止する箇所以外の箇所について、袖パネルを上記取付部材又はこの取付部材と別の取付部材に釘やビス等の止着具により止着するようにしても、袖パネルの全部の箇所を上記取付部材又はこの取付部材と別の取付部材に釘やビス等の止着具により止着するようにした場合よりも、係止部材を被係止部材に係止する作業の分だけ、袖パネルの袖部への配置作業を容易に行えることになる。
【００１５】
また、袖パネルが取付部材に取り付けられた後に、袖パネルに収納部を配設する作業を行ってもよく、あるいは、袖パネルが取付部材に取り付けられる前に、袖パネルに収納部を配設する作業を行ってもよい。
【００１６】
袖パネルに収納部を配設する作業を、袖パネルが取付部材に取り付けられる前に行うようにすると、袖パネルに収納部を配設する作業を、周囲が開放された良好な環境で行うことができるため、この作業の容易化、効率化を図ることができる。
【００１７】
また、袖パネルに収納部を配設することは、任意な形態により実施することができる。その一例は、収納部を、袖パネルに組み付けられた収納ボックスによって形成することである。また、他の例は、収納部を、袖パネルに複数の板材を結合することにより形成することである。
【００１８】
袖パネルに収納部を配設するために、上述したように収納部を、袖パネルに組み付けられた収納ボックスによって形成するようにすると、前述の袖部に収納部を設けることを、簡単な作業及び構造によって行えることになる。
【００１９】
また、収納部を袖パネルに組み付けられた収納ボックスとする場合には、袖パネルに収納ボックスを組み付けるために、袖パネルに、前述した戸袋の内側方向と同じ方向へ延出した収納ボックス保持部を設け、この収納ボックス保持部に収納ボックスを保持させることにより、袖パネルに収納ボックスを組み付けるようにしてもよい。
【００２０】
これによると、収納ボックス保持部による収納ボックスの保持作用により、袖パネルに収納ボックスを有効に組み付けることができる。
【００２１】
なお、収納ボックス保持部による収納ボックスの保持は、任意な形態により行え、その一例は、収納ボックス保持部に収納ボックスを釘やビス等の止着具で止着することであり、他の例は、収納ボックス保持部に収納ボックスを、例えば、嵌合等によって単に保持させることである。
【００２２】
また、収納ボックスの形状も、任意な形状とすることができる。その一例は、収納ボックスを、袖パネルから戸袋の内側方向と同じ方向へ延びる後方部と、袖パネルから戸袋の外側方向と同じ方向へ突出した前方部と、を備えているものとすることである。また、他の例は、収納ボックスを、袖パネルから戸袋の内側方向と同じ方向へ延びる部分のみからなるものとし、袖パネルから戸袋の外側方向と同じ方向へ突出した部分を有しないものとすることである。
【００２３】
収納ボックスを、袖パネルから戸袋の内側方向と同じ方向へ延びる後方部と、袖パネルから戸袋の外側方向と同じ方向へ突出した前方部と、を備えているものとした場合には、前方部の容量分だけ、収納ボックスの収納容量を一層大きくすることができる。
【００２４】
また、収納ボックスを、袖パネルから戸袋の内側方向と同じ方向へ延びる後方部と、袖パネルから戸袋の外側方向と同じ方向へ突出した前方部と、を備えているものとした場合には、袖パネルに、後方部を挿入するための挿入用開口部を形成するとともに、前方部における袖パネルと平行をなす面での断面積を挿入用開口部の開口面積よりも大きくし、後方部を挿入用開口部に挿入することにより、この挿入用開口部を前方部によって覆うようにしてもよい。
【００２５】
これによると、袖パネルに形成された挿入用開口部は、収納ボックスの前方部によって覆われ、外部に露出しないため、この挿入用開口部の外観を良好に仕上げるための仕上げ作業を行う必要がなくなる。
【００２６】
また、本発明において、袖パネルを取り付ける取付部材は、任意な部材でよい。そして、袖パネルを取り付ける取付部材を、前述した引戸装置用扉体で開閉される開口部の戸先側の縦枠部材とし、この縦枠部材が袖部の内部に配置された下地材により支持されている場合には、戸袋の内側方向と同じ方向への深さを有して袖パネルに配設されている前述の収納ボックス等の収納部における戸袋の内側方向と同じ方向への深さを有している部分を、下地材の配置位置からずれている位置に配設するようにする。
【００２７】
これによると、袖部の内部に上記縦枠部材を支持するための下地材が配置されていても、収納部における戸袋の内側方向と同じ方向への深さを有している部分を、下地材と干渉することなく、袖部の内部に有効に配設することができる。
【００２８】
以上説明した本発明において、前述した引戸装置用扉体は、この扉体の開閉移動を案内するガイド部材から吊り下げられる上吊り式の扉体でもよく、あるいは、この扉体の下方に配置されたガイド部材で案内される下方案内式の扉体でもよい。
【００２９】
また、開き移動した扉体が収納される前述した戸袋は、壁の内部に収納された壁収納式戸袋でもよく、あるいは、外部に露出した露出式戸袋でもよい。
【００３０】
また、戸袋は、扉体の厚さ方向両面を覆う両面式戸袋でもよく、扉体の厚さ方向片面のみを覆う片面式戸袋でもよい。
【００３１】
さらに、本発明に係る引戸装置は、任意な施設に設置することができ、また、前述した収納部に収納される物品は、任意な物品でよく、この物品は、例えば、引戸装置が設置された施設と関係する物品でもよい。すなわち、引戸装置が、老人介護施設の廊下と個別部屋とを仕切る位置に設置される場合には、収納部に収納される物品を、その個別部屋の利用者に、その個別部屋が自室であることを認識させることができる自分の慣れ親しんだ物品とすることができ、また、引戸装置が病院の廊下と病室とを仕切る位置に設置される場合には、収納部に収納される物品を、病室に出入する者が手等を消毒するために用いる消毒液容器とすることができる。
【発明の効果】
【００３２】
本発明によると、大きな収納容量を有する収納部を引戸装置に扉体等との関係で合理的に配設できるようになるという効果を得られる。
【図面の簡単な説明】
【００３３】
【図１】図１は、本発明の一実施形態に係る収納構造が適用された引戸装置を示す全体正面図である。
【図２】図２は、図１の引戸装置を示す図であって、図１とは反対側を示す全体背面図である。
【図３】図３は、図１及び図２で示されている無目の内部を示す図であって、扉体を移動させるための移動機構を示す図であり、扉体が閉じ限位置に達しているときを示している図である。
【図４】図４は、扉体が開き限位置に達しているときを示す移動機構を示す図である。
【図５】図５は、図２のＳ５−Ｓ５線断面図である。
【図６】図６は、図２のＳ６−Ｓ６線断面図である。
【図７】図７は、図１のＳ７−Ｓ７線断面図である。
【図８】図８は、図１のＳ８−Ｓ８線断面図である。
【図９】図９は、袖パネルに収納ボックスを挿入するための挿入用開口部が形成されていることを示す袖パネルの正面図である。
【図１０】図１０は、収納ボックスの側面図である。
【図１１】図１１は、収納ボックスの平面図である。
【図１２】図１２は、袖パネルを取付部材に係止するための係止手段を示す分解斜視図である。
【図１３】図１３は、図１２の係止手段による係止作業の途中を示す正面図である。
【図１４】図１４は、図１２の係止手段による係止作業の終了時を示す正面図である。
【図１５】図１５は、戸袋を片面戸袋式とした場合の第１実施形態を示す概略平面図である。
【図１６】図１６は、戸袋を片面戸袋式とした場合の第２実施形態を示す概略平面図である。
【発明を実施するための形態】
【００３４】
以下に本発明を実施するための形態を図面に基づいて説明する。図１には、本発明の一実施形態に係る収納構造が適用された引戸装置の全体正面図が示されており、図２には、この引戸装置の全体背面図が示されている。
【００３５】
図１及び図２で示されている引戸装置は、老人介護施設の通路となっている廊下と個別部屋とを仕切る位置に設置されているものであり、図１には、廊下の側から見た引戸装置が示され、図２には、個別部屋の側から見た引戸装置が示されている。この引戸装置は、引戸装置用扉体１で開閉される出入口となっている開口部６と、この開口部６の側部に設けられ、開き移動で開口部６を開いた扉体１を収納するための戸袋７と、開口部６に対して戸袋７とは反対側の側部に設けられた袖部６０と、を備えている。本実施形態に係る戸袋７は、この戸袋７の内部に収納される扉体１の厚さ方向両面を覆う両面式戸袋となっているとともに、戸袋７は、壁４の内部に収納された壁収納式戸袋となっている。
【００３６】
また、図１に示されているように、袖部６０には、物品を内部に収納するための収納部となっている収納ボックス９０が上記通路側において配設されており、この収納ボックス９０は、後述の説明で明らかになるとおり、戸袋７の内側方向と同じ方向への深さを有している。また、袖部６０の上記通路側の表面には、図１に示されているように、収納ボックス９０の下側において、手摺り５９が取り付けられている。
【００３７】
なお、本実施形態に係る引戸装置は、通路となっている廊下と個別部屋とを仕切る位置に設置されるのではなく、個別部屋と大広間とを仕切る位置や、個別部屋と庭とを仕切る位置に配置されてもよく、要するに、本実施形態に係る引戸装置は、個別部屋と、この個別部屋の外側の空間とを仕切る位置に設置することができる。
【００３８】
次に、袖部６０を除く引戸装置自体の構造を、一層詳しく説明する。
【００３９】
扉体１は把持部１Ａを把持することにより、左右動させることができて開口部６を開閉することができ、この開口部６は、無目２と、戸先側の縦枠部材３（開口部６を形成する複数の部材のうち、扉体１の閉じ側（戸先側）の縦枠部材）と、壁４と、床５とに囲まれて形成されている。また、壁４の開口部６側の端部には、見切り部材となっている竪額縁部材９が配置されている。また、扉体１がその内側で移動する引戸装置の外枠組みの基本構造は、無目２と、戸先側の縦枠部材３と、戸尻側の縦枠部材８と、竪額縁部材９と、戸袋７の下端に配置された下枠１０により形成され、戸尻側の縦枠部材８により戸袋７の終端部が形成されている。
【００４０】
なお、扉体１の把持部１Ａは、扉体１における収納ボックス９０の下端部に相当する位置から、扉体１における手摺り５９の配置位置に相当する位置までの間の範囲に、少なくとも一部が配置されたものとなっており、把持部１Ａは、この範囲の全体に渡る上下長さを有するものとしてもよく、また、図１に示されているように、この上下長さからさらに上下方向に延伸した長い上下寸法を有するものとしてもよい。
【００４１】
図２に示されているように、無目２は、無目本体２Ａと、この無目本体２Ａに設けられた点検用カバー２Ｂとからなり、点検用カバー２Ｂは、この無目本体２Ａや縦枠部材３、竪額縁部材９に設けられているねじ孔に螺合される止めねじ等の止め具２Ｃで取り付け、取り外し自在になっており、したがって、無目本体２Ａに対して点検用カバー２Ｂは開閉自在となっている。無目本体２Ａは、図２のＳ６―Ｓ６線断面図である図６に示されているように、戸袋７まで延びる長さ、言い換えると、戸先側の縦枠部材３から戸尻側の縦枠部材８まで延びる長さを有し、点検用カバー２Ｂは、図２に示されているように、無目本体２Ａの全長のうち、開口部６の上方に位置する部分だけに設けられている。
【００４２】
無目２の内部には、扉体１を移動させるための移動機構が配置されており、この移動機構は、開口部６と、開口部６に隣接して設けられている戸袋７とに跨っている。図３及び図４には、この移動機構の全体詳細図が示されている。図３は、移動機構によって扉体１が閉じ限位置に達しているとき、すなわち、扉体１が前述の戸先側の縦枠部材３に当接しているときを示し、図４は、扉体１が開き限位置に達しているときを示す。
【００４３】
図３に示されているように、無目本体２Ａの内部には扉体１の移動を案内するためのガイド部材であるガイドレール１２が組み込まれ、上記移動機構を形成する部材であって、無目本体２Ａの略全長に亘る長さを有するこのガイドレール１２は、図２のＳ５―Ｓ５線断面図である図５に示すとおり、無目本体２Ａの内部に設けられている補強部材を兼ねる取付部材１１に取り付けられ、戸袋７の内部まで延びている。同一断面形状が長さ方向に連続しているこのガイドレール１２は、取付部材１１に取り付けられた基部１２Ａと、この基部１２Ａの下端から扉体１の厚さ方向に水平に延びるアーム部１２Ｂと、このアーム部１２Ｂの先端から垂直に立ち上がった係合部１２Ｃとを有する。
【００４４】
図３で示すように、扉体１には、ローラブラケット１３，１４に回転自在に取り付けられた２個のローラ１５，１６が扉体１の移動方向に配設され、ローラブラケット１３，１４を介して扉体１の上部に配置されているこれらのローラ１５，１６は、図５に示すように、扉体１の上方に不動部材となって水平に架設されているガイドレール１２の係合部１２Ｃに係合している。このため、扉体１は、ローラ１５，１６が係合部１２Ｃ上を転動することによりガイドレール１２に沿って移動するとともに、扉体１は、ガイドレール１２の係合部１２Ｃにローラ１５，１６及びローラブラケット１３，１４を介して吊り下げられた上吊り式のものとなっている。
【００４５】
また、図１に示すように、戸袋７に近い開口部６の床５には、垂直軸を中心に回転自在となったガイドローラ１７が配置され、このガイドローラ１７は、図５に示すとおり、扉体１の下端に下向きに開口して配置されているチャンネル部材１Ｂの内部に挿入されており、ガイドレール１２に沿った扉体１の移動は、扉体１の下端がこのガイドローラ１７で案内されながら行われる。
【００４６】
図３に示されているように、ガイドレール１２の扉体開き側の端部には、扉体１を開き限位置に停止させるためのストップ装置２０が取り付けられ、このストップ装置２０は、扉体１側に向けて本体２１に突設されたゴム等の弾性材料からなるストップ部材２２と、本体２１に取り付けられた小径ローラによる被係止部材２３とを有する。一方、扉体１に設けられている２個のローラブラケット１３，１４のうち、扉体開き側のローラブラケット１４の後端には板状の受け部材２４が結合され、この受け部材２４には、板ばねの折り曲げで形成されている係止部材２５が取り付けられている。
【００４７】
扉体１を前記把持部１Ａで開き側に移動させ、この移動が開き限位置に達すると、図４に示されているように、被係止部材２３には、一旦上向きに湾曲変形してもとの形状に弾性復帰する係止部材２５が係止するとともに、受け部材２４はストップ部材２２に当接し、これにより扉体１は開き限位置に停止する。
【００４８】
また、扉体１の把持部１Ａに閉じ側への操作力を作用させた場合には、被係止部材２３から上向きに弾性変形する係止部材２５が離脱するため、扉体１はガイドレール１２とガイドローラ１７に案内されて閉じ側へ移動する。
【００４９】
また、図３及び図４に示されているように、扉体１に設けられている２個のローラブラケット１３，１４のうち、扉体閉じ側のローラブラケット１３には、扉体１を閉じ移動させるための駆動装置３０のケーシング３０Ａがブラケット３１で取り付けられている。駆動装置３０は、ケーシング３０Ａの内部に回転自在に収納されたリール３３を有し、このリール３３の内部には渦巻きばねが配置され、この渦巻きばねの一端はリール３３に結合されているとともに、他端はケーシング３０Ａに結合されている。
【００５０】
また、リール３３には、図３及び図４で示されているナイロン紐又はワイヤー等からなる紐状部材３４が巻かれているとともに、この紐状部材３４の一端が結合されている。この紐状部材３４はケーシング３０Ａから導出され、紐状部材３４の他端は、開閉移動する扉体１に対して不動部材となっている前述した縦枠部材３に取り付けられたフック部材３５に結合されている。
【００５１】
図３で示すように閉じ限位置に達している扉体１を把持部１Ａで図４に示すように開き側へ移動させたときには、紐状部材３４がリール３３を回転させながら駆動装置３０のケーシング３０Ａから繰り出され、このとき、リール３３の内部の上記渦巻きばねがリール３３の回転で蓄圧されるようになっている。このため、この後に把持部１Ａから手を離すと（扉体１が図４のように閉じ限位置に達しているときには、前述のように、把持部１Ａに操作力を作用させて被係止部材２３から係止部材２５を離脱させると）、渦巻きばねの蓄圧力によってリール３３には、扉体１の開き移動時とは逆方向へ扉体１を移動させようとする回転力が生じているため、この回転力で緊張する紐状部材３４の引張力によって扉体１は閉じ側へ引っ張られ、リール３３が回転して紐状部材３４を巻き取ることにより、扉体１は閉じ限位置まで自動的に移動する。
【００５２】
したがって、本実施形態における扉体１を閉じ側へ自動的に移動させるための駆動装置３０は渦巻きばね式であるとともに、紐状部材３４の引張力による引張式駆動装置となっている。
【００５３】
なお、以上説明したように本実施形態の駆動装置３０は、扉体１と、縦枠部材３や無目２等の不動部材とのうち、扉体１に取り付けられていたが、駆動装置３０を縦枠部材３や無目２等の不動部材に取り付け、この駆動装置３０のケーシング３０Ａから導出される紐状部材３４の先端を、扉体閉じ側のローラブラケット１３に結合してもよい。
【００５４】
図３及び図４に示されているように、ガイドレール１２には、閉じ側への扉体１の移動速度を低速化させて制動させ、扉体１を閉じ限位置に減速させて到達させるための制動装置４０が取り付けられている。この制動装置４０は、ガイドレール１２に結合されたシリンダ本体４１と、シリンダ本体４１にガイドレール１２の長さ方向に伸縮自在に挿入されたピストンロッド４２とを有するシリンダ装置で構成され、シリンダ本体４１は、不動部材となっているガイドレール１２に取り付けられている。
【００５５】
図３及び図４に示されているように、扉体１に２個設けられているローラブラケット１３，１４のうち、扉体開き側のローラブラケット１４には、ピストンロッド４２の先端部が挿抜自在となったキャッチ部材４４が取り付けられ、ピストンロッド４２の先端部と、この先端部が挿入されるキャッチ部材４４の内部とのうち、一方には磁石が設けられ、他方にはこの磁石に吸着する磁性材料が設けられている。このため、ピストンロッド４２とキャッチ部材４４とは、磁力で接続分離自在となっている。
【００５６】
図３に示すように扉体１が閉じ限位置に達しているときには、シリンダ本体４１に対して収縮しているピストンロッド４２の先端部がキャッチ部材４４の内部に挿入された状態になっており、扉体１を開き側へ移動させると、ピストンロッド４２の先端部とキャッチ部材４４とが上記磁力で接続されているため、ピストンロッド４２はシリンダ本体４１に対して伸び作動する。このピストンロッド４２が伸び作動限に達してもさらに扉体１が開き側に移動すると、図４に示すように、ピストンロッド４２とキャッチ部材４４とが分離し、ピストンロッド４２はその位置で停止する。また、扉体１が前記引張式駆動装置３０の駆動力で閉じ側へ移動し始め、そして扉体１が所定位置に達すると、キャッチ部材４４はピストンロッド４２に当接してこれらのキャッチ部材４４とピストンロッド４２とが上記磁力で再度接続され、扉体１がさらに閉じ側へ移動することにより、ピストンロッド４２はシリンダ本体４１に対して収縮作動する。
【００５７】
なお、ピストンロッド４２の先端部と、この先端部が挿入されるキャッチ部材４４の内部とに、互いに磁性が逆となった磁石を設けることにより、ピストンロッド４２とキャッチ部材４４とを上記と同様に接続分離自在としてよい。
【００５８】
シリンダ本体４１には、ピストンロッド４２が伸び作動したときに多量のエアをシリンダ本体４１の内部に吸引し、ピストンロッド４２が収縮作動したときにはこのエアを絞りながら排出するバルブが設けられている。このため、ピストンロッド４２が伸び作動する扉体１の開き移動時には、扉体１を軽く移動させることができ、また、ピストンロッド４２が収縮作動する扉体１の閉じ移動時には、扉体１がシリンダ本体４１の内部のエア圧力によって制動されながら移動し、これにより、扉体１は減速された速度で閉じ限位置に達するようになっている。
【００５９】
なお、本実施形態の制動装置４０はシリンダ式のものとなっているが、制動装置は、これに限らず、例えば、扉体１の移動がラック部材とピニオン部材とで伝達されるロータリ式のものとしてもよい。
【００６０】
図２のＳ６―Ｓ６線断面図である図６に示されているように、内部が前述した戸袋７となっている壁４は、下地材５０と、外面形成部材５１とを含んで形成されており、鉛直断面がハット形状となっている下地材５０は、上下方向に間隔を開けて複数個配置されている。石膏ボード等による外面形成部材５１は、戸袋７の内外方向に配置された内側外面形成部材５１Ａと、外側外面形成部材５１Ｂとからなり、上下寸法が小さい内側外面形成部材５１Ａは下地材５０同士の間に配置され、上下寸法が大きい外側外面形成部材５１Ｂは、これらの下地材５０と内側外面形成部材５１Ａの外側に配置されている。外側外面形成部材５１Ｂの表面にはビニルクロス等の仕上げ材が貼り付けられ、これにより、壁４の表面が仕上げられている。
【００６１】
次に、図１で示されている袖部６０と、この袖部６０に物品を収納するための収納部として配設されている収納ボックス９０とについて説明する。
【００６２】
図１及び図２に示されている引戸装置は、前述したように老人介護施設の廊下と個別部屋とを仕切る位置に設置されている。図７は、この引戸装置の袖部６０の鉛直断面である図１のＳ７−Ｓ７線断面図であり、図８は、袖部６０の水平断面である図１のＳ８−Ｓ８線断面図である。また、図１０には、収納ボックス９０の側面図が示され、図１１には、収納ボックス９０の平面図が示されている。
【００６３】
図１と、図１０及び図１１とに示されているように、収納ボックス９０は、ボックス本体９１と、このボックス本体９１の正面開口部を塞ぐ板状の蓋部材９２とを有し、図１で分かるように、透明ガラス板となっている蓋部材９２は、左右の一方の端部がヒンジ９３でボックス本体９１に取り付けられることにより、ヒンジ９３を中心にボックス本体９１に対して開閉自在となっている。また、蓋部材９２には施錠具９４が設けられ、キーで操作されるこの施錠具９４により、ボックス本体９１の正面開口部を塞いでいるときの蓋部材９２を施錠、解錠できるようになっている。
【００６４】
また、図１に示されているように、ボックス本体９１の内部には、棚板９５と、照明器具９６とが設けられている。
【００６５】
収納ボックス９０の内部に収納される物品は、言い換えると、棚板９５の上に載せられるなどして収納ボックス９０の内部に収納される物品は、袖部６０にこの収納ボックス９０が設けられている引戸装置の扉体１を開閉移動させることにより開口部６を通って出入りする上述の個別部屋の利用者にとって慣れ親しんだ物品である。したがって、上述の廊下を通って自室まで来た利用者は、透明ガラス製の蓋部材９２を透過して見ることができる上記物品を認識することにより、自室となっている個別部屋まで来たことを理解することができるようになっており、この後、利用者は、扉体１を把持部１Ａで開き移動させることにより開口部６を通って自室に入ることができる。
【００６６】
図７及び図８に示されているように、袖部６０の収納ボックス９０が配設されている側の面（上記廊下側の面）には、金属板又は合成樹脂板等による袖パネル６１が配設されている。このため、袖部６０の収納ボックス９０が配設されている側の表面は、この袖部６０の表面形成部材となっている袖パネル６１によって形成されている。また、袖部６０の収納ボックス９０が配設されている側とは反対側の面（上記個別部屋側の表面）には、図６で示した壁４と同じく、石膏ボード等による外面形成部材６２が配設されており、この外面形成部材６２には、内側外面形成部材６２Ａと、外側外面形成部材６２Ｂとがあり、外側外面形成部材６２Ｂの表面には、ビニルクロス等による仕上げ部材が貼り付けられている。
【００６７】
そして、袖部６０の内部は空間部６３となっており、この空間部６３には、図８で示されているように、長さ方向が上下方向となった下地材６４，６５が配置されており、これらの下地材６４，６５により外面形成部材６２が支持されている。また、下地材６４，６５のうち、開口部６側に配置された下地材６４には、この開口部６の前述した戸先側の縦枠部材３がアンカー部材６６を介して支持されており、開口部６側とは反対側に配置された下地材６５には、袖パネル６１の開口部６側とは反対側の端部の見切り部材となっている縦枠部材６７がアンカー部材６８を介して結合されている。
【００６８】
開口部６の戸先側の縦枠部材３には、空間部６３において、開口部６側とは反対側へ延出した延出端部３Ａが形成されているとともに、袖パネル６１の開口部６側の端部には、空間部６３において、開口部６側とは反対側へ延出した延出端部６１Ａが形成されている。これらの延出端部３Ａと６１Ａは、係止手段６９の係止作用により係止されている。このため、開口部６の戸先側の縦枠部材３は、袖パネル６１が取り付けられた取付部材ともなっている。また、上述の見切り部材となっている縦枠部材６７には、空間部６３において、開口部６側へ延出した延出端部６７Ａが形成されているとともに、袖パネル６１の開口部６側とは反対側の端部には、空間部６３において、開口部６側へ延出した延出端部６１Ｂが形成されている。これらの延出端部６７Ａと６１Ｂも、係止手段６９の係止作用により係止されている。このような係止手段６９は、袖パネル６１の上下方向に複数個設けられている。
【００６９】
図１２は、係止手段６９の具体的構造を示す分解斜視図である。なお、袖パネル６１の左右の延出端部６１Ａ，６１Ｂの両方について設けられている係止手段６６は、同じ構造になっているため、図１２は、代表例として、図８における左側の係止手段６９、言い換えると、開口部６側の係止手段６９を示している。
【００７０】
係止手段６９は、係止部材７０と、被係止部材７１とからなる。また、係止部材７０は、板状のベース部７０Ａと、このベース部７０Ａから突設されたピン部７０Ｂとを備えたものになっている。ベース部７０Ａは、ビス等の止着具７２により縦枠部材３の延出端部３Ａに止着されている。また、ピン部７０Ｂは、ベース部７０Ａに基端部が接続された軸部７０Ｃと、この軸部７０Ｃの先端に設けられ、軸部７０Ｃよりも大きい直径で形成された略半球状の先端部７０Ｄとからなる。
【００７１】
また、被係止部材７１は板状の形状を有し、この被係止部材７１は、ビス等の止着具７３により袖パネル６１の延出端部６１Ａに止着されている。被係止部材７１には貫通孔７４が形成されており、この貫通孔７４は、ピン部７０Ｂの軸部７０Ｃの直径よりも大きい幅で上下に長く形成された長孔部７４Ａと、この長孔部７４Ａの下端に、ピン部７０Ｂの略半球状の先端部７０Ｄよりも大きい直径で形成された丸孔部７４Ｂとからなる。長孔部７４Ａの幅寸法は、ピン部７０Ｂの略半球状の先端部７０Ｄの直径よりも小さくなっている。そして、袖パネル６１の延出端部６１Ａには、貫通孔７４と対応する位置において、この貫通孔７４よりも大きい開口部６１Ｃが形成されている。
【００７２】
図１３及び図１４には、係止手段６９の係止作用により、袖パネル６１の左右の延出端部６１Ａ，６１Ｂを縦枠部材３，６７の延出端部３Ａ，６７Ａに取り付けるための作業が示されている。すなわち、先ずはじめに、袖パネル６１を持ち上げることにより、図１３に示されているように、係止部材７０に設けられているピン部７０Ｂの先端部７０Ｄの位置と、被係止部材７１の貫通孔７４の丸孔部７４Ｂの位置とを一致させ、この後、袖パネル６１を縦枠部材３，６７の延出端部３Ａ，６７Ａ側へ押すことにより、ピン部７０Ｂの先端部７０Ｄを、貫通孔７４の丸孔部７４Ｂと上記開口部６１Ｃとに挿入する。次いで、袖パネル６１を下方へ落とす。
【００７３】
これにより、ピン部７０Ｂの軸部７０Ｃは、貫通孔７４の丸孔部７４Ｂから長孔部７４Ａへ移行することになり、長孔部７４Ａの幅寸法は、ピン部７０Ｂの先端部７０Ｄの直径よりも小さくなっているため、係止部材７０への被係止部材７１の係止作用により、袖パネル６１の左右の延出端部６１Ａ，６１Ｂは、縦枠部材３，６７の延出端部３Ａ，６７Ａに取り付けられることになる。このとき、ピン部７０Ｂの軸部７０Ｃの長さを被係止部材７１の厚さと同じにして、係止部材７０のベース部７０Ａに被係止部材７１を当接させることにより、袖パネル６１の左右の端部は、空間部６３の内外方向に位置決めされることになる。
【００７４】
なお、以上の係止手段６９は、係止部材７０が縦枠部材３，６７側に、被係止部材７１が袖パネル６１側に、それぞれ取り付けられていたが、これらの取り付けを逆としてもよい。
【００７５】
また、係止手段を、以上説明した構造、作用となった係止手段とせず、例えば、フック形状となっている係止部材を、溝や段部等による被係止部を有する被係止部材に係止するようにしたものでもよい。
【００７６】
また、本実施形態では、図７に示されているように、袖部６０の内部の前述した空間部６３には、水平方向へ延びる下地材７５が配置されており、この下地材７５に、袖パネル６１の上側に配置された上枠部材７６がアンカー部材７７を介して結合されている。この上枠部材７６には、空間部６３の内部において、前述の外面形成部材６２の側へ延びる延出部７６Ａが形成されており、袖パネル６１の上端部には、空間部６３の内部において、外面形成部材６２の側へ延びる延出部６１Ｄが形成されている。上下に間隔が開いているこれらの延出部７６Ａと６１Ｄとの間は、乾式又は湿式の目地部材７８で埋められている。また、それぞれの延出部７６Ａ，６１Ｄの先端部には、下方へ延びる下方延出部７６Ｂ，６１Ｅが設けられ、下方延出部７６Ｂに下方延出端部６１Ｅを当接させることにより、袖パネル６１の上端部は、空間部６３の内外方向に位置決めされている。
【００７７】
さらに、図７に示されているように、空間部６３の下端には下枠部材７９が配置されており、前述の床５に設置されたこの下枠部材７９には、空間部６３の内部において、外面形成部材６２の側へ延びる延出部７９Ａと、この延出部７９Ａの先端から立ち上がった立上部７９Ｂとが設けられている。また、袖パネル６１の下端部には、空間部６３の内部において、外面形成部材６２の側へ延びる延出部６１Ｆと、この延出部６１Ｆの先端から垂下した垂下部６１Ｇとが設けられている。立上部７９Ｂに垂下部６１Ｇを当接させることにより、袖パネル６１の下端部は、空間部６３の内外方向に位置決めされており、本実施形態では、これらの立上部７９Ｂと垂下部６１Ｇは、ビス等の止着具８０で止着されている。
【００７８】
そして、上下に間隔が開いている延出部７９Ａと６１Ｆとの間は、乾式又は湿式の目地部材８１で埋められており、止着具８０は、この目地部材８１で隠されている。
【００７９】
図１０及び図１１に示されているように、収納ボックス９０の前述したボックス本体９１は、前方部１０１と後方部１０２とからなり、これらの前方部１０１と後方部１０２は、上面部１０１Ａ，１０２Ａと、下面部１０１Ｂ，１０２Ｂと、左右の側面部１０１Ｃ，１０１Ｄ，１０２Ｃ，１０２Ｄとからなる四角形となっており、前方部１０１の正面には、図１で説明したヒンジ９３で開閉自在となっている蓋部材９２により開閉される正面開口部が形成されているとともに、後方部１０２の奥面は奥面部１０２Ｅにより塞がれている。また、後方部１０２の上面部１０２Ａには、図１で示した照明器具９６に接続されている電気配線１０３が挿通され、この電気配線１０３は、袖部６０の内部の空間部６３に配線されている。すなわち、電気配線１０３は、袖部６０の内部の空間部６３を利用して配線されている。
【００８０】
本実施形態では、前方部１０１の鉛直断面積は、後方部１０２の鉛直断面積よりも大きくなっており、このため、図１０及び図１１に示されているように、前方部１０１と後方部１０２との間は、段部１０４となっている。
【００８１】
図９は、前述した袖パネル６１の正面図を示し、この袖パネル６１には、収納ボックス９０の配設位置において、四角形の開口部１０５が形成されている。この開口部１０５の開口面積は、収納ボックス９０のボックス本体９１の後方部１０２の鉛直断面積と対応しており、言い換えると、開口部１０５の開口面積は、収納ボックス９０のボックス本体９１の後方部１０２における袖パネル６１と平行をなす面での断面積と対応している。このため、開口部１０５は、後方部１０２を挿入するための挿入用開口部になっているとともに、前方部１０１における袖パネル６１と平行をなす面での断面積は、図９で示されているように、挿入用開口部１０５の開口面積よりも大きくなっている。
【００８２】
挿入用開口部１０５に後方部１０２が挿入されることにより、収納ボックス９０は袖パネル６１に配設され、この配設は、図７及び図８に示されているように、上述の段部１０４が袖パネル６１の表面に当接するまで、挿入用開口部１０５に後方部１０２を挿入することにより行われる。これにより、後方部１０２は、前述した袖部６０の内部の空間部６３に配置されるとともに、前方部１０１は、袖パネル６１の表面から突出して配置されることになる。言い換えると、後方部１０２は、袖部６０において、前述した戸袋７の内側方向と同じ方向への深さをもって配置され、前方部１０１は、袖部６０において、戸袋７の外側方向と同じ方向へ突出して配置される。
【００８３】
そして、このように収納ボックス９０が袖パネル６１に配設されたときには、上述した前方部１０１における袖パネル６１と平行をなす面での断面積と、挿入用開口部１０５の開口面積との関係により、挿入用開口部１０５は前方部１０１によって覆われることになる。
【００８４】
図７及び図８に示されているように、袖パネル６１には、この袖パネル６１に以上のようにして配設される収納ボックス９０を保持するための収納ボックス保持部１１０が設けられており、この保持部１１０は、戸袋７の内側方向と同じ方向への延出長さをもって袖パネル６１の裏面に配置されている。また、この保持部１１０は、後方部１０２と同様に、上面部１１０Ａと、下面部１１０Ｂと、左右の側面部１１０Ｃ，１１０Ｄとからなる四角形となっており、保持部１１０の奥面は奥面部１１０Ｅにより塞がれている。また、上面部１１０Ａには、前述した電気配線１０３を案内挿通させるためのゴムパッド等による案内部材１１１が設けられている。また、本実施形態では、図７に示されているように、保持部１１０の上面部１１０Ａと下面部１１０Ｂには、保持部１１０の内部において、補強部材１１２，１１３が設けられている。
【００８５】
このように構成された保持部１１０は、左右の側面部１１０Ｃ，１１０Ｄに形成された図８のフランジ部１１４，１１５が袖パネル６１の裏面に溶接等で結合されることにより、袖パネル６１に取り付けられている。
【００８６】
そして、収納ボックス９０のボックス本体９１のうち、前述した後方部１０２は保持部１１０の内部に挿入配置されており、この後方部１０２は、図７及び図８に示されているように、釘やビス等の止着具１１６により保持部１１０の左右の側面部１１０Ｃ，１１０Ｄに止着されている。
【００８７】
このため、収納ボックス９０は袖パネル６１の保持部１１０に保持されているとともに、袖パネル６１に組み付けられている。
【００８８】
以上のように収納ボックス９０を袖パネル６１の保持部１１０に保持させて、この収納ボックス９０を袖パネル６１に組み付ける作業は、袖パネル６１が前述した係止手段６９等により図８の縦枠部材３，６７等に取り付けられる前に行われる。すなわち、収納ボックス９０を袖パネル６１に組み付ける作業は、引戸装置が生産される工場や、引戸装置が設置される現場で行われ、図１で示した手摺り５９を袖パネル６１にボルト、ナット等の取付具で取り付ける作業も、引戸装置が生産される工場や、引戸装置が設置される現場で行われ、このときの袖パネル６１は縦枠部材３，６７等に取り付けられておらず、したがって、周囲が開放された環境において、収納ボックス９０の袖パネル６１への組付作業及び手摺り５９の袖パネル６１への取付作業を行うことができるため、これらの作業を容易かつ効率的に行える。
【００８９】
なお、収納ボックス９０を袖パネル６１に組み付ける作業時において、電気配線１０３を保持部１１０の案内部材１１１に挿通させる作業が行われ、また、袖パネル６１を係止手段６９等により縦枠部材３，６７等に取り付ける作業時において、図７の止着具８０を前述した立上部７９Ｂと垂下部６１Ｇとに打ち込む作業や、目地部材７８，８１の配置作業が行われる。
【００９０】
また、袖パネル６１を係止手段６９等により縦枠部材３，６７等に取り付けた後は、戸袋７の内側方向と同じ方向への深さを有している収納部としての収納ボックス９０は、戸袋７の外面に配設されておらず、この収納ボックス９０は、扉体１で開閉される開口部６に対して戸袋７とは反対側の側部に設けられた袖部６０に配設されている。このため、収納ボックス９０を、開口部６を開けるために開き移動して戸袋７の内部に収納される扉体１に影響されることなく、引戸装置に設けることができる。
【００９１】
また、収納ボックス９０は、袖部６０に、戸袋７の内側方向と同じ方向への深さを有して配設されているため、収納ボックス９０の収納容量を大きくすることができ、このため、全体として引戸装置に収納部としての収納ボックス９０を扉体１等との関係で合理的に設けることができる。
【００９２】
また、本実施形態では、袖部６０に収納ボックス９０を配設するために、この袖部６０の表面形成部材となっている袖パネル６１に収納ボックス９０を配設する構造としたため、袖部６０に容易に収納ボックス９０を設けることができる。
【００９３】
また、袖部６０の表面形成部材となっている袖パネル６１を袖部６０に配置するために、袖パネル６１を、この袖パネル６１が取り付けられる取付部材となっている縦枠部材３，６７に、係止部材７０と被係止部材７１からなる係止手段６９の係止作用により取り付けるようにしたため、簡単に行えるこの係止作業により、袖部６０への袖パネル６１への配置作業を容易に行える。
【００９４】
また、本実施形態では、袖パネル６１に収納ボックス９０を組み付けるために、袖パネル６１に、戸袋７の内側方向と同じ方向へ延出した収納ボックス保持部１１０が設けられ、保持部１１０に収納ボックス９０を保持させることにより、袖パネル６１に収納ボックス９０を組み付けるようにしたため、保持部１１０による収納ボックス９０の保持作用により、袖パネル６１に収納ボックス９０を有効に組み付けることができる。
【００９５】
また、収納ボックス９０のボックス本体９１は、袖パネル６１から戸袋７の内側方向と同じ方向へ延びる後方部１０２と、袖パネル６１から戸袋７の外側方向と同じ方向へ突出した前方部１０１とからなるため、前方部１０１の容量分だけ、収納ボックス９０の収納容量を一層大きくすることができる。
【００９６】
また、袖パネル６１には、後方部１０２を挿入するための挿入用開口部１０５が形成され、前方部１０１における袖パネル６１と平行をなす面での断面積は挿入用開口部１０５の開口面積よりも大きいため、後方部１０２を挿入用開口部１０５に挿入すると、この挿入用開口部１０５は前方部１０１によって覆われることになる。このため、この挿入用開口部１０５の外観を良好に仕上げるための仕上げ作業を行う必要がない。
【００９７】
さらに、本実施形態では、袖パネル６１を取り付けるための取付部材の一つは、扉体１で開閉される開口部６の戸先側の縦枠部材３であり、この縦枠部材３は、袖部６０の内部の空間部６３に配置された図８の下地材６４により支持されているが、戸袋の内側方向と同じ方向への深さを有して袖パネル６１に配設されている収納ボックス９０のボックス本体９１のうちの後方部１０２は、空間部６３における下地材６４の配置位置からずれている位置に配置されているため、下地材６４と干渉することなく、後方部１０２の配置を行えることになる。
【００９８】
また、図１に示されているように、収納ボックス９０の下側には手摺り５９が設けられているため、収納ボックス９０の内部に収納されている物品を確認する際に、手摺り５９を触ることにより、楽な姿勢によりこの確認を行える。
【００９９】
さらに、扉体１に設けられている把持部１Ａは、前述したように、扉体１における収納ボックス９０の下端部に相当する位置から、扉体１における手摺り５９の配置位置に相当する位置までの間の範囲に、少なくとも一部が配置されたものとなっているため、一方の手で手摺り５９を触りながら収納ボックス９０の内部に収納されている物品を見つつ、他方の手で把持部１Ａを触って扉体１を容易に開き移動させることができる。
【０１００】
なお、以上説明した実施形態では、図７及び図８に示されているように、収納ボックス保持部１１０の奥面部１１０Ｅと外面形成部材６との間にすき間があったが、奥面部１１０Ｅを外面形成部材６２に接触するまで後退させることにより、収納ボックス９０の奥行き寸法を図７及び図８で示されている寸法よりも大きくしてもよい。
【０１０１】
また、奥面部１１０Ｅの位置を、外面形成部材６２を貫通した前述の個別部屋側へ突出した位置とすることにより、収納ボックス９０の奥行き寸法を一層大きくしてもよい。このように奥面部１１０Ｅの位置を、外面形成部材６２を貫通した個別部屋側へ突出した位置とする場合には、個別部屋側へ突出した収納ボックス保持部１１０の部分の外面に、外面形成部材６２と同様な材料で形成した外面形成部材を被覆してもよく、被覆しなくてもよい。
【０１０２】
また、上述の個別部屋の利用者が収納ボックス９０の内部に収納されている物品を確認した後に、図１の開口部６を閉じている扉体１の把持部１Ａによりこの個別部屋の利用者が扉体１の開き操作を行うことになるため、袖部６０に配設される収納ボックス９０と把持部１Ａとの間の水平距離は、このようして行われる扉体１の開き操作を行うことに都合のよい距離に設定されることが好ましい。
【０１０３】
すなわち、収納ボックス９０の水平方向の中心位置と、把持部１Ａの水平方向の中心位置との間の水平方向の距離は、収納ボックス９０の内部に収納されている物品を確認した上記利用者がそのままの位置又は姿勢で片手により扉体１の開き操作を行うことができる距離、例えば、５０ｃｍ〜１２０ｃｍの範囲内の距離、さらに詳しくは、７０ｃｍ〜１００ｃｍの範囲内の距離に設定することが好ましい。
【０１０４】
また、収納ボックス９０の高さ方向の中心位置と床５との間の鉛直方向の距離も、床５の上に立った上記利用者又は床５の上の車椅子に座った上記利用者が収納ボックス９０の内部に収納されている物品を容易に確認できる距離に設定することが好ましく、この距離は、例えば、７０ｃｍ〜１６０ｃｍの範囲内の距離、さらに詳しくは、９０ｃｍ〜１４０ｃｍの範囲内の距離に設定することが好ましい。
【０１０５】
以上説明した実施形態における戸袋７は、壁４の内部に収納されたが壁収納式戸袋となっていたが、本発明に係る収納構造は、戸袋が露出している露出式戸袋を備える引戸装置にも適用することができる。
【０１０６】
また、前述した戸袋７は、扉体１の厚さ方向両面を覆う両面式戸袋であったが、本発明に係る収納構造は、扉体１の厚さ方向片面のみを覆う片面式戸袋を備える引戸装置にも適用することができる。
【０１０７】
図１５及び図１６は、この片面式戸袋２０７，３０７を備える引戸装置を示す。図１５の片面式戸袋２０７は、扉体１の厚さ方向のうち、袖部６０における収納ボックス９０の配設側と同じ側に設けられており、図１６の片面式戸袋３０７は、扉体１の厚さ方向のうち、袖部６０における収納ボックス９０の配設側とは反対側に設けられている。
【０１０８】
また、以上説明した収納ボックス９０は引戸装置の袖部６０に設けられていたが、このような収納ボックスは、玄関ドア装置等の開き戸装置（バランスドア装置を含む）や折れ戸装置の袖部にも設けることができ、これらの開き戸装置や折れ戸装置の開閉体である開き戸やバランスドアに把持部として設けられるドアノブの近傍に、言い換えると、開き戸やバランスドアの戸先部に近い位置に、収納ボックスを上記袖部において設けることにより、収納ボックスの内部に収納されている物品を確認した者が、そのままの位置又は姿勢で片手によりドアノブを操作することにより、開き戸やバランスドアを開き操作できるようにしてもよい。
【０１０９】
そして、このような開き戸装置や折れ戸装置についても、前述した把持部と収納ボックスとの間の水平方向の距離、収納ボックスと床との間の鉛直方向の距離を適用することが好ましく、さらには、袖部に手摺りを設けることや、この手摺りの位置と収納ボックスの位置とで定まる前述の範囲にドアノブを設けることが好ましい。
【産業上の利用可能性】
【０１１０】
本発明は、各種の施設に設置される引戸装置に、例えば、その施設に応じた物品を収納するための収納部を設けるために利用することができる。
【符号の説明】
【０１１１】
１  扉体
３  袖パネルを取り付けるための取付部材であって、開口部の戸先側の縦枠部材
４  壁
６  開口部
７，２０７，３０７  戸袋
６０  袖部
６１  袖パネル
６４，６５，７５  下地材
６７  袖パネルを取り付けるための取付部材である縦枠部材
６９  係止手段
７０  係止部材
７０Ｂ  ピン部
７１  被係止部材
７４  貫通孔
９０  収納部となっている収納ボックス
９１  ボックス本体
１０１  前方部
１０２  後方部
１０５  挿入用開口部
１１０  収納ボックス保持部
【図１】
0005401186.tif 000002
【図２】
0005401186.tif 000003
【図３】
0005401186.tif 000004
【図４】
0005401186.tif 000005
【図５】
0005401186.tif 000006
【図６】
0005401186.tif 000007
【図７】
0005401186.tif 000008
【図８】
0005401186.tif 000009
【図９】
0005401186.tif 000010
【図１０】
0005401186.tif 000011
【図１１】
0005401186.tif 000012
【図１２】
0005401186.tif 000013
【図１３】
0005401186.tif 000014
【図１４】
0005401186.tif 000015
【図１５】
0005401186.tif 000016
【図１６】
0005401186.tif 000017